(57)【要約】【課題】  ランダムアクセス可能な記録媒体を備えた記録再生装置において、追いかけ再生中に再生シーンが現在記録中のシーンに追いついた記録位置を認識し、これに基づいてユーザにとって便利な機能を提供する。【解決手段】  追いかけ再生を開始した記録位置を記憶する追いかけ再生開始位置記憶手段と、追いかけ再生中に再生シーンが現在記録中のシーンに追いついた時にその記録位置を記憶する追いつき位置記憶手段と、を備えることを特徴とする記録再生装置。【選択図】   図１
2006286051.tif 000002
【特許請求の範囲】
【請求項１】
放送番組を記録媒体に記録しながら当該記録媒体から同番組の記録済みの部分を再生する追いかけ再生可能な記録再生装置であって、
追いかけ再生を開始した記録位置を記憶する追いかけ再生開始位置記憶手段と、
追いかけ再生中に再生シーンが現在記録中のシーンに追いついた時にその記録位置を記憶する追いつき位置記憶手段と、
を備えることを特徴とする記録再生装置。
【請求項２】
追いかけ再生中に再生シーンが現在記録中のシーンに追いついた場合には、追いかけ再生を停止することを特徴とする請求項１に記載の放送記録再生装置。
【請求項３】
追いかけ再生中に再生シーンが現在記録中のシーンに追いついた場合には、当該放送番組の記録を停止することを特徴とする請求項１又は２に記載の放送記録再生装置。
【請求項４】
追いかけ再生中に再生シーンが現在記録中のシーンに追いついた場合には、当該放送番組の記録を停止するとともに、他の放送番組の記録を行うことを特徴とする請求項１から３のいずれか１項に記載の記録再生装置。
【請求項５】
記録媒体上の追いかけ再生開始位置から追いつき位置までを記録した領域を上書き可能とすることを特徴とする請求項１から４のいずれか１項に記載の記録再生装置。
【請求項６】
前記記憶した追いかけ再生開始位置及び追いつき位置を記録媒体に記録することを特徴とする請求項１から５のいずれか１項に記載の記録再生装置。
【発明の詳細な説明】
【技術分野】
【０００１】
本発明は、放送番組の記録再生装置に関し、特に、放送番組の記録をしながら同番組の記録済みの部分を再生する「追いかけ再生」機能を備えた記録再生装置に関するものである。
【背景技術】
【０００２】
近年、ＤＶＤ−Ｒ／ＲＷ／ＲＡＭやハードディスクなどの記録媒体を備えた記録再生装置が普及している。これらの記録媒体はランダムアクセス可能であるため、放送番組を記録するのと同時に記録媒体に記録されている他のコンテンツを再生する同時録画再生や、放送番組の記録をしながら同番組の記録済みの部分を再生する追いかけ再生（又はタイムシフト録画）などの機能が利用可能となっている。
【０００３】
特許文献１に記載の記録再生方法及び記録再生装置では、このようなランダムアクセス可能な記録媒体の特徴を利用して、記録した放送番組を再生する際にＣＭ（コマーシャル）スキップを行う技術が採用されている。
【０００４】
【特許文献１】特開２００１−３２０６７４号公報
【発明の開示】
【発明が解決しようとする課題】
【０００５】
上述した追いかけ再生においても、ユーザは、ＣＭをスキップさせたり、視聴不要な部分を早送り再生したりすることができる。追いかけ再生中にＣＭスキップや早送り再生を行っていると、再生シーンが現在記録中のシーンに追いついてしまう場合がある。ところが、従来の記録再生装置では、追いかけ再生において再生シーンが現在記録中のシーンに追いついてしまった後も、ただその放送番組の記録及び再生を続けるのみである。
【０００６】
そこで、本発明は、ランダムアクセス可能な記録媒体を備えた記録再生装置であって、追いかけ再生中に再生シーンが現在記録中のシーンに追いついた記録位置を認識し、これに基づいてユーザにとって便利な機能を提供することができる記録再生装置を提供しようとするものである。
【課題を解決するための手段】
【０００７】
上記解決課題に鑑みて鋭意研究の結果、本発明者は、追いかけ再生において追いかけ再生開始位置及び追いつき位置に関する情報を記憶しておくことにより、当該記録された放送番組のうちユーザが追いかけ再生で視聴した部分を特定できることに着眼し、以下のような発明に想到した。
【０００８】
本発明は、放送番組を記録媒体に記録しながら当該記録媒体から同番組の記録済みの部分を再生する追いかけ再生可能な記録再生装置であって、追いかけ再生を開始した記録位置を記憶する追いかけ再生開始位置記憶手段と、追いかけ再生中に再生シーンが現在記録中のシーンに追いついた時にその記録位置を記憶する追いつき位置記憶手段と、を備えることを特徴とする記録再生装置を提供するものである。
【０００９】
記録媒体上の追いかけ再生開始位置から追いつき位置までを記録した領域が当該記録された放送番組のうちユーザが追いかけ再生で視聴した部分であると特定される。
【００１０】
本発明の記録再生装置において、追いかけ再生中に再生シーンが現在記録中のシーンに追いついた場合には、追いかけ再生を停止し、あるいは当該放送番組の記録を停止することを特徴とする。追いつき後、追いかけ再生を停止した場合には、当該放送番組の記録は継続するので、ユーザは他の放送番組を視聴したり視聴を止めたりすることができ、記録を停止した場合には、ユーザは当該放送番組をそのまま続けて視聴することができる。
【００１１】
本発明の記録再生装置において、追いかけ再生中に再生シーンが現在記録中のシーンに追いついた場合には、当該放送番組の記録を停止するとともに、他の放送番組の記録を行うことを特徴とする。
【００１２】
本発明の記録再生装置において、記録媒体上の追いかけ再生開始位置から追いつき位置までを記録した領域を上書き可能とすることを特徴とする。これにより、記録媒体の容量を効率よく利用できる。
【００１３】
本発明の記録再生装置において、前記記憶した追いかけ再生開始位置及び追いつき位置を記録媒体に記録することを特徴とする。これにより、記録媒体を記録再生装置から取り外しても、再度利用する際には、上記の各機能を利用することが可能となる。
【発明の効果】
【００１４】
以上、説明したように、本発明の記録再生装置によれば、追いかけ再生において再生シーンが現在記録中のシーンに追いついた時に、追いかけ再生開始位置及び追いつき位置に関する情報を記憶しているので、記録後に記録した番組を再生する際にユーザが既に視聴した部分を省いて再生を行ったり、追いかけ再生が追いついた後に、記録媒体に別の放送番組を記録したりすることができる。また、放送番組の記録データのうちユーザが既に視聴した部分については上書き記録可能とすることにより、記録媒体の容量を効率よく利用できる。
【発明を実施するための最良の形態】
【００１５】
以下、添付図面を参照しながら、本発明の記録再生装置を実施するための最良の形態を詳細に説明する。図１〜図３は、本発明の実施の形態を例示する図であり、これらの図において、同一の符号を付した部分は同一物を表わし、基本的な構成及び動作は同様であるものとする。
【００１６】
図１は、本発明の記録再生装置の内部構成を概略的に示すブロック図である。図１において、記録再生装置は、複数種類の放送番組を受信するためのＴＶチューナ１，２、ＴＶチューナからの入力を切換える切換え回路３、アナログ放送信号をＡ／Ｄ変換するＡ／Ｄ変換部４、各部位の動作を制御するＣＰＵ５、デジタル放送信号を符号化するＭＰＥＧ２エンコーダ６、記録媒体への記録及び記録媒体からの再生を制御するデータコントロール部７、ＤＶＤ，ＨＤＤ等からなるランダムアクセス可能な記録媒体８、ＭＰＥＧ２で符号化された放送データを復号するＭＰＥＧ２デコーダ９、デジタル放送信号をＤ／Ａ変換するＤ／Ａ変換部１０、アナログ放送信号を映像及び音声として出力する表示部／音声部１１、追いつき位置記憶部１２、追いかけ再生開始位置記憶部１３、モード選択部／操作部１４、予約記憶部１５を備えている。
【００１７】
図１に示す記録再生装置において放送番組を記録媒体８に記録する際には、ＴＶチューナ１又は２で受信された放送信号は、切換え回路３を経て、Ａ／Ｄ変換部４においてデジタル信号化され、さらにＭＰＥＧ２エンコーダ６において符合化された後、データコントロール部７において所定の記録フォーマット（ＤＶＤフォーマット等）に変換されて、記録媒体８に記録される。例えば、デジタル放送の放送信号には、映像信号、音声信号及び付加情報が時間軸多重されて含まれているので、データコントロール部７は、それぞれを映像パケット、音声パケット及び付加情報パケットとして取り出すことになる。各パケットは、再生に必要な種々の情報を含むヘッダ部と、データ本体を含むデータ部とからなっている。
【００１８】
図１に示す記録再生装置において記録媒体８に記録された放送番組を再生する際には、データコントロール部７において、記録媒体８に記録された所定の放送番組データにアクセスし所定の再生位置から再生データを読み出し、ＭＰＥＧ２デコーダ９において再生データを復号し、Ｄ／Ａ変換部１０において再生データをアナログ放送信号に変換し、表示部／音声部１１に出力する。
【００１９】
図１に示す記録再生装置において、放送番組を記録媒体８に記録すると同時に記録媒体８に記録済みの同番組を再生する追いかけ再生を行う場合には、上記した記録及び再生の動作を同時に行えばよい。すなわち、データコントロール部７において、記録媒体８に放送番組を記録するためのアクセスタイムの隙間を利用して、記録媒体８に記録済みの放送番組データにアクセスして、再生データの読み出しを行うことにより、放送番組の追いかけ再生を行うことが可能となる。尚、追いかけ再生方法では、ユーザ指定により又は自動でＣＭスキップをしたり早送りしたりするほか、再生データのフレーム画像を間引きして再生速度を上げるなどしてもよい。
【００２０】
次に、本発明の記録再生装置における追いかけ再生とその後の動作について詳しく説明する。図２は、記録再生装置による放送番組の追いかけ再生を概念的に示す図である。まず、ユーザ操作や予約録画により指定された放送番組の記録が開始される。その後、任意の時点で同番組の追いかけ再生を開始することができる。追いかけ再生は、同番組を記録開始位置から再生してもよいし、それ以後の任意の記録位置から再生してもよい。追いかけ再生において、ＣＭスキップがされたり、ユーザが視聴不要な部分を早送り再生したりすることにより、放送番組の記録中（放送時間中）に再生シーンが現在記録中のシーンに追いついてしまう場合がある。本発明の記録再生装置は、このように追いかけ再生において再生シーンが現在記録中のシーンに追いついた時及びその後の動作に特徴を有するものである。
【００２１】
図３は、本発明の記録再生装置における追いかけ再生とその後の動作について処理の流れを示すフローチャートである。各処理は、記録再生装置のＣＰＵ５が各部位の動作を制御することにより実現される。図３において、まず、放送番組の記録中にユーザがモード選択部／操作部１４を用いて追いかけ再生の指示をすることにより、当該番組の追いかけ再生が開始される（ステップＳ３１）。また、所定の記録位置から自動的に追いかけ再生を開始するよう予め設定しておいてもよい。この時、追いかけ再生開始時の記録媒体８上の記録位置が「追いかけ再生開始位置」として認識され、この追いかけ再生開始位置は追いかけ再生開始位置記憶部１３に記憶される（ステップＳ３２）。ここで、追いかけ再生開始位置（記録媒体の記録位置）を記憶するには、例えば、その時点で記録媒体８に記録されている放送番組データのパケット付加情報（ヘッダ部又はデータ部）の中から、記録媒体８上の記録アドレス（セクタ情報）などの情報を取得して記憶すればよい。
【００２２】
その後、追いかけ再生を行いながら（ステップＳ３３）、再生シーンが現在記録中のシーンに追いついたかどうかを随時判定する（ステップＳ３４）。ここで、追いつきを判定するには、上記同様、その時点での記録媒体８上の記録位置と再生位置とを比較すればよい。実際には、両者が全く一致する場合のみならず、相当程度まで接近した場合も含めて追いついたとの判定を行うものとする。この時、追いつき位置時点での記録媒体８上の記録位置（又は再生位置）が「追いつき位置」として認識され、この追いつき位置は追いつき位置記憶部１２に記憶される（ステップＳ３５）。
【００２３】
追いかけ再生において再生シーンが現在記録中のシーンに追いついた後の動作については、様々な設定が可能である。例えば、放送番組の記録はそのまま継続し、追いかけ再生は停止することとしてもよい（ステップＳ３６）。その後ユーザが当該番組を再生する際再には、ユーザが既に視聴している部分を省いて再生することができる。また、記録継続中に追いかけ再生を繰り返して行うことができる。また、例えば、当該番組の記録を停止し、追いかけ再生をそのまま継続することとしてもよい（ステップＳ３７）。こうすると、ユーザは当該番組の全部を視聴できることになる。また、例えば、当該番組の記録を停止し、別の放送番組を記録することとしてもよい（ステップＳ３８）。
【００２４】
尚、追いつき後にどのような動作をするかについては、予約記憶部１５等において予め設定されている条件に従うようにすればよい。また、放送番組の記録が終了した時に、追いかけ再生開始位置及び追いつき位置の情報を記録媒体８の管理情報領域に書き込むようにしてもよい。
【００２５】
上記したように、追いかけ再生開始位置及び追いつき位置の情報を記憶しておくことにより、記録媒体８に記録されている放送番組のうちユーザが既に視聴した部分と未だ視聴していない部分とが識別されるので、ユーザが既に視聴した部分については他の放送番組の記録に用いる（上書き記録）ようにすれば、ユーザにとって不都合なく記録媒体８の記録容量を効率的に利用することが可能となる。
【００２６】
以上、本発明の記録再生装置について、具体的な実施の形態を示して説明したが、本発明はこれらに限定されるものではない。当業者であれば、本発明の要旨を逸脱しない範囲内において、上記各実施形態又は他の実施形態にかかる発明の構成及び機能に様々な変更・改良を加えることが可能である。
【図面の簡単な説明】
【００２７】
【図１】本発明の記録再生装置の内部構成を概略的に示すブロック図である。
【図２】記録再生装置による放送番組の追いかけ再生を概念的に示す図である。
【図３】本発明の記録再生装置における追いかけ再生とその後の動作について処理の流れを示すフローチャートである。
【符号の説明】
【００２８】
１，２  チューナ
３  切換え回路
４  Ａ／Ｄ変換部
６  ＭＰＥＧ２エンコーダ
７  データコントロール部
８  記録媒体
９  ＭＰＥＧ２デコーダ
１０  Ｄ／Ａ変換部
１１  音声部／表示部
１２  追いつき位置記憶部
１３  追いかけ再生開始位置記憶部
１４  モード選択部／操作部
１５  予約記憶部
【図１】
2006286051.tif 000003
【図２】
2006286051.tif 000004
【図３】
2006286051.tif 000005